(57)【要約】      （修正有）【課題】この考案は種々のボトルネックに外挿させてなる上部外挿筒状部をボトルネックに安定的に被嵌させた状態でおまけ商品を透明袋内に収納させるようにした販売促進用品の収納具を提供する。【解決手段】ボトルの首部に装着する販売促進用品の収納具であって、容器のボトル部分を収容し得る上部外挿筒部１と、この上部外挿筒部１の下辺連結帯部４と、更にその下辺ヒートシール部を一体的に設けた下部収納袋部５を形成してなる。【選択図】図１
0003206051.tif 000002
【実用新案登録請求の範囲】
【請求項１】
ボトルの首部に装着する販売促進用品の収納具であって、容器のボトル部分を収容し得る上部外挿筒部と、この上部外挿筒部の下辺連結帯部と、更にその下辺ヒートシール部を一体的に設けた透明収納袋部を形成してなることを特徴とする販売促進用品の収納具。
【請求項２】
ボトルの首部に装着する販売促進用品の収納具であって、収納袋部は上部に開口部を有し、上部開口部の上辺より一体的に形成したタブを下垂せしめてなる請求１記載の販売促進用品の収納具。
【請求項３】
ボトルの首部に装着する販売促進用品の収納具であって、収納袋部は下部に開口部を有し、該下辺開口部は接着用折り返し片にて下部開口部を外側より閉蓋しえるようにしてなる請求項１記載の販売促進用品の収納具。
【請求項４】
ボトルの首部に装着する販売促進用品の収納具であって、上部筒部を構成する表裏二重のベースフィルムの間には合成紙を芯材が封入されてなる請求項１記載の販売促進用品の収納具。
【請求項５】
ボトルの首部に装着する販売促進用品の収納具であって、連結帯部の両端部に互いに内側方向への半円形状の凹所を形勢してなる請求項１記載の販売促進用品の収納具。
【考案の詳細な説明】
【考案の詳細な説明】
【技術分野】
【０００１】この考案は、化粧品容器、添加剤容器、洗剤容器及びペットボトル等の容器の上端部のボトルネック部に販売促進用の試供品、販促品等のおまけ商品を入れるための収納袋を容器に付加してボトルネックを有する各種の容器の販売を促進する販売促進用品の収納具に関する。【０００１】同じボトルであっても、こういった僅かな販売促進用の「おまけ」がボトル等の商品についてあれば、消費者心理として、このようなおまけ付きの商品を選ぶことは統計上から明らかである。【０００３】従って、このような化粧品容器、添加剤容器、洗剤容器及びペットボトル等の容器を売る業者は、自らの商品の販売数を伸ばす為に近年このような販売促進用品等の収納袋を有するボトルネックを付加して販売することが多くなっている。
【技術分野】
【０００４】従来より化粧品容器、添加剤容器、洗剤容器及びペットボトル等の容器におまけの商品ホルダーに入れるて販売しようとする傾向がある。このようなおまけ用ホルダーとして例えば、特許文献１、特許文献２がある。
【先行技術文献】
【特許文献】
【０００５】
【特許文献１】実用新案登録第３１２２６１２号
【特許文献２】特開２００１−１９９４４４号
【考案の概要】
【考案の解決しようとする課題】
【０００６】そこでこの考案は、消費者の購買心理に鑑みて化粧品容器、添加剤容器、洗剤容器及びペットボトル等の容器の上端部の外挿筒状部の下部に一体的的に設けた透明収納袋を外側外挿筒状体を装着させた状態で化粧品容器、添加剤容器、洗剤容器及びペットボトル等の容器を販売しようとするものである。
【課題を解決するための手段】
【０００７】［請求項１の考案は、ボトルの首部に装着する販売促進用品の収納具であって、容器のボトル部分を収容し得る上部外挿筒部と、この上部外挿筒部の下辺連結帯部と、更にその下辺ヒートシール部を一体的に設けた収納袋部を形成してなることを特徴とする販売促進用品の収納具。
【０００８】請求項２の考案は、ボトルの首部に装着する販売促進用品の収納具であって、収納袋部は上部に開口部を有し、上部開口部の上辺より一体的に形成したタブを下垂せしめてなる請求１項記載の販売促進用品の収納具。
【０００９】請求項３の考案は、ボトルの首部に装着する販売促進用品の収納具であって、透明収納袋部は下部に開口部を有し、該下辺開口部は接着用折り返し片にて下部開口部を外側より閉蓋し得るようにしてなる請求項１記載の販売促進用品の収納具。
【００１０】請求項４の考案は、ボトルの首部に装着する販売促進用品の収納具であって、上部筒部を構成する表裏二重のベースフィルムの間には芯材として合成紙が封入されてなる請求項１記載の販売促進用品の収納具。
【００１１】請求項５の考案は、ボトルの首部に装着する販売促進用品の収納具であって、連結帯部の両端部の凹所に互いに内側方向内端部は半円形状の打ち抜き凹所を形成してなる請求項１記載の販売促進用品の収納具。
【考案の効果】
【００１２】この考案は、容器のボトル部分を収容し得る上部外挿筒部には内部には芯材となる合成紙が封入して合成紙と透明ベースフィルムと一体化してあるので、操作性もよく強靱であるからこの上部外挿筒部の下辺連結帯部と、更にその下辺より透明収納袋部を一体的に形成してあるので、従来の平板に穴を開けたものや、立体的な箱状のおまけ商品の収納具にくらべその強度が強く、みばえもよく且つ外部から収納されているおまけ商品を透視することができるので顧客の側からも安心感が得られる。更に、ボトルの外観上の美観を損なううこともので消費者に安心感を与える。下部収納袋部に設けられた凹所及び打ち抜き部を設けてあるので収納袋に入れるおまけ容量大きなものを入れることもできるから、販売促進効果も大きい。
【考案の実施をするための最良の形態】
【００１３】図１及び図２に示すように、この考案は、外挿筒状部１を各種ボトルネックに外挿するよ販売促進用品の全体が透明ベースフイルムａで構成されており、その構成は主として上部は外挿筒状部１の下部おまけ商品８を収納するための透明収納袋２からなっている。
【００１４】ベースフイルムａは透明のポリプロピレン又はポリエチレンのような透明フィルムで作成される。製造上では外挿筒状部１は表裏ベースフィルムａ、ａの間にベースフィルムとほぼ同種の樹脂製の芯材の合成紙３を介在させてなる。図１に示すように、下部収納袋部５は連結帯部４の下部と収納袋２の上辺で融着され連結帯部４の下部にて一体的にしてあり且つ収納袋２の開口部６が上方にあるものでは、外挿筒状部１の開口部４の片側面の下部とタブ５を開口部６より下方に垂下するように溶着してある。
以上のように外挿筒状部１、連結帯部４及び下部収納袋部５の各外周部は基本的には熱溶断され閉鎖され一体化されている。連結帯部４
【００１５】図３に示すものは、収納袋２の下部に開口部７を有するものを示してある。このようにした場合、収納袋部２内部に販売促進用商品等のおまけ商品８を下部より収納するために、収納後の落下を防止するために該下辺開口部７の上辺に接着用折り返し片９にて閉蓋するようにしてある。１０は接着可能な接着層である。
【００１６】上部外挿筒状部１の下縁部１２との間は連結帯１１が設けられるており、且つ、この連結帯１１の両端部には内側方向に凹所１２が形成され、且つ凹所１２の内端部にほぼ半円状の打ち抜き部１３が形成されている。この連結帯１１、内側方向に凹所１２及びその内端部には半円状の打ち抜き部１３を形成してある。内端部を半円形状とすることでおまけ商品を出し入れする場合に収納袋２の破損を有効に防ぐことができる。この内側方向に凹所１２及びその内端部には半円状の打ち抜き部１３は嵩張ったおまけ商品８を入れる場合にでも、おまけ商品の大小に関わらず連結帯４、内側方向に凹所１２及び半円状の打ち抜き部１３のしなり作用によって収納袋２内に自由に入れることができる。
【００１７】図６及び図７は、ボトルの首部にはさまざまな形状のものがあり、それらのボトルネック対応できるように上部外挿筒状部１は、ボトルの首部に対応させた二種類を例示したものを表示してある。図６に表したものは正面からみると台形状のボトルネック１４であり、図７に示したものでは本体容器に比べボトルネックが異常に大きなもの１５に対応する販売促進用品の収納具を表したものである。但し、容器のボトルネックには、これ以外に様々な形状のものがあるが、従って外挿筒状部１の形状は注文者から受注があればその形状のものを作成する。
なお、図２及び図４に表示した開口部の蓋シールには接着層１０の接着面には仮止め用剥離シート１１を設けててある。
【図面の簡単な説明】
【００１８】
【図１】上方開口の販売促進用品の収納具の正面図
【図２】上部外挿筒状帯の開口部を閉じた状態の断面図
【図３】下部開口の販売促進用具の収納具の正面図
【図４】下部開口の販売促進用具の断面図
【図５】収納袋を取り付けた状態の斜視図
【図６】外挿筒状部が台形状の販売促進用品の収納具の正面図
【図７】外挿筒状部が下部の容器と比較して大きな販売促進用品の収納具の正面図
【符号の説明】ａ．．．．ベースフィルム
１．．．．外挿筒状部
２  ．．．収納袋
３．．．．開口部
４．．．．連結帯部
５．．．．タブ
６  ．．．上部開口部
７．．．．下部開口部
８．．．．おまけ商品
９．．．．接着用折り返し片
１０．．．接着層
１１．．．剥離シート
１２．．．凹所
１３．．．半円状打ち抜き部
１４．．．大きなボトルネック
【図１】
0003206051.tif 000003
【図２】
0003206051.tif 000004
【図３】
0003206051.tif 000005
【図４】
0003206051.tif 000006
【図５】
0003206051.tif 000007
【図６】
0003206051.tif 000008
【図７】
0003206051.tif 000009
【手続補正書】
【提出日】平成28年6月10日(2016.6.10)
【手続補正１】
【補正対象書類名】実用新案登録請求の範囲
【補正対象項目名】全文
【補正方法】変更
【補正の内容】
【実用新案登録請求の範囲】
【請求項１】
ボトルの首部に装着する販売促進用品の収納具であって、容器のボトル部分を収容し得る上部抱着筒部と、この上部抱着筒部の下辺連結帯部と、更にその下辺ヒートシール部を一体的に設けた収納袋部を形成してなることを特徴とする販売促進用品の収納具。
【請求項２】
ボトルの首部に装着する販売促進用品の収納具であって、収納袋部は上部に開口部を有し、上部開口部の上辺より一体的に形成したタブを下垂せしめてなる請求１記載の販売促進用品の収納具。
【請求項３】
ボトルの首部に装着する販売促進用品の収納具であって、収納袋部は下部に開口部を有し、該下部開口部は接着用折り返し片にて下部開口部を外側より閉蓋し得るようにしてなる請求項１記載の販売促進用品の収納具。
【請求項４】
ボトルの首部に装着する販売促進用品の収納具であって、上部筒部を構成する表裏二重のベースフィルムの間には合成紙からなる芯材が封入されてなる請求項１記載の販売促進用品の収納具。
【請求項５】
ボトルの首部に装着する販売促進用品の収納具であって、連結帯部の両端部に互いに内側方向への半円形状の凹所を形勢してなる請求項１記載の販売促進用品の収納具。
【手続補正４】
【補正対象書類名】明細書
【補正対象項目名】０００９
【補正方法】変更
【補正の内容】
【０００９】ボトルの首部に装着する販売促進用品の収納具であって、収納袋部は下部に開口部を有し、該下部開口部は接着用折り返し片にて下部開口部を外側より閉蓋し得るようにしてなる請求項１記載の販売促進用品の収納具。